(57)【特許請求の範囲】
【請求項１】
海中又は海底に棲息する漁獲対象動物を漁獲するための船曳き網であって、
袖網部分と魚取り袋部分との間に設けられ、網目の大きさが漁獲対象となる前記海洋動物よりも細かい網目である胴網部分において、
前記袖網との連結部となる胴部入口部と、前記魚取り袋部分との連結部となる胴部出口部と、前記胴部入口部と前記胴部出口部との間の胴部網体と、前記胴部網体の側面の一部において網目が他の部分の網目よりも粗い網目となり、船曳きの際に生じる抵抗を小さくする潮抜き部と、
前記潮抜き部に対して取り付けることにより海中での抵抗を増減せしめる潮抜き量調整体を備え、
前記潮抜き量調整体の取り付け有無または取り付け量によって海中での前記抵抗の大きさを調整し、船曳き速度を調整せしめることを特徴とする船曳き網。
【請求項２】
前記潮抜き量調整体が前記潮抜き部の網目よりも細かい網目を持つ網体であり、前記潮抜き部の網体に対して前記潮抜き量調整体の網体を被せて取り付けることにより、前記潮抜き部を網体の二重構造としたことを特徴とする請求項１に記載の船曳き網。
【請求項３】
前記潮抜き部の形状が、前方が幅広で後方に行くほど絞られた形状をなしたものである請求項１または２に記載の船曳き網。
【請求項４】
前記潮抜き部の輪郭に沿ってファスナー具の一方を取り付けて置き、潮抜き量調整体のエッジに沿って前記ファスナー具の他方を取り付けて置き、両者を前記ファスナー具でしっかりと緊締して取り付け可能とした請求項１から３のいずれかに記載の船曳き網。
【請求項５】
前記潮抜き部における前記潮抜き量調整体を取り付ける領域が、前記潮抜き部の一部領域であり、中央付近から後方部分または後方部分のみを優先的に選択して取り付けることを特徴とする請求項１から４のいずれかに記載の船曳き網。
【請求項６】
前記潮抜き量調整体が平状またはメッシュ状のシート体であり、
前記潮抜き部の網体表面に前記シート体が収まる潮抜き量調整体ポケットを備え、前記潮抜き量調整体ポケットに対して前記潮抜き量調整体を装着可能としたことを特徴とする請求項１から３のいずれかに記載の船曳き網。
【請求項７】
前記潮抜き量調整体ポケットが前記潮抜き部の中央付近から後方部分または後方部分のみに設けられたものであることを特徴とする請求項６に記載の船曳き網。
【請求項８】
前記潮抜き量調整体である前記シート体が、ロール状に変形可能な素材であり、前記シート体を前記潮抜き量調整体ポケット内に装着した状態で前記船曳き網の機械巻き取りを可能とした請求項６または７に記載の船曳き網。
【請求項９】
前記胴部出口部内のやや前方付近に内袋体として形成され、開口は前記胴部の横断面全体にわたり、排出出口は前記胴部網体の側面に設けられた非漁獲対象物の排出部であって、その網目が前記漁獲対象動物は通過できる大きさであり、前記漁獲対象動物は後方に通過させかつ網目より大きな非漁獲対象物を補足して前記胴部網体の側面の排出出口から排出する非漁獲対象物の排出部を備えた請求項１から７のいずれかに記載の船曳き網。
【請求項１０】
前記漁獲対象となる前記海洋動物がシラスまたはイカナゴを含む魚種である請求項１乃至９のいずれかに記載の船曳き網。
【発明の詳細な説明】
【技術分野】
【０００１】
本発明は、船曳き網に関し、特にシラス、イカナゴなどの小型魚種の海洋動物を効率的に漁獲することができる船曳き網の改良に関する。
【背景技術】
【０００２】
シラスやイカナゴなどの小型魚種の海洋動物を効率的に漁獲する漁法として船曳き網漁業が知られている。
船曳網漁業は、網船と呼ばれる２隻の漁船が対になって１つの網を引き、運搬船と呼ばれる１隻の漁船が魚群を探して網船を誘導するとともに漁獲物を取り上げて港まで運搬する。このように３隻の漁船で操業する。
【０００３】
運搬船は魚群探知機の反応状況から網船の誘導とともにシラスやイカナゴが網に溜まっている具合を判断し、網の交換時期を決定する。
シラスやイカナゴはその日の天候や海域の複雑な潮流によって回遊場所や回遊水深が異なるので、運搬船船長の経験とカンに基づいた網船の誘導がその日の漁獲量を左右するカギを握っていると言われている。なお、シラスやイカナゴは上層近くにいることが多いため、魚網を引く水深を浅く調整すると漁獲が増える。
大阪湾や播磨灘における船曳き網漁業は，４月中旬まで“イカナゴ”漁が操業され、４月中旬〜６月上旬、９月下旬〜１２月上旬まで“シラス”漁が行われる。
【０００４】
船曳き網は、袖網、袋網（胴網、魚取り）、曳綱で構成される。袖網は、袋網の口から左右両側に袖状に取り付けられ、魚群を中央に寄せ袋網に追い込む役割を担っている。袖網の上縁には浮子綱と浮子が、下縁には沈子が取り付けられ、網口が上下に開くよう工夫されている。袋網の網目の大きさは奥部ほど細かくなっており、一例としては、最細の網目は２ｍｍ程度のもじ網となっており、袋網の長さは約８０ｍに及ぶ。袋網の末端から約２０ｍを魚取りと呼び、チャックで脱着できるものとなっている。袖網には浮子がロープを通じて連結されており、当該ロープの伸縮や曳綱の長さを変えることにより、袖網水深を調節することができる。両船は全速で曳綱を張りながら展開し、漁具が所定の水深に沈むのを確認の後曳網を開始する。
【０００５】
図１０は船曳き網漁法の操船の例を簡単に示している。曳網中の２隻の間隔は約５０ｍ、曳網時間は魚群の状況にもよるが、概ね４５分から１時間半程度で、曳網速度は約２ノットで操船する。
入網したシラスやイカナゴの回収は、網全体を巻き取らずに袋網のみを運搬船のウインチで吊り上げ、魚取り部のチャックを開いて回収する。漁獲物回収後、袋網を再度投入し、曳網を継続する。
【０００６】
シラス漁やイカナゴ漁は対象魚種が小さいため魚網の網目が他の漁よりも細かく、その船曳き操船には魚網に対して海水の大きな抵抗が発生し、船曳きの速度が上がりにくいが、やはり、速い速度で操船することは経済性、他の漁船との競争の上では極めて重要であり如何に速い速度で船曳きできるかにより漁獲が変動する。
なお、シラスとイカナゴにおいて網目の大きさと長さの違いはあるものの魚網の構成、袖網の浮子などは同じである。シラス漁の仕掛けの方が船曳き網全体の長さが大きくなり、その長さは５００メートルに達する場合もある。
【０００７】
【非特許文献１】神戸地方海難審判庁『近畿の漁法と安全運航』
【発明の開示】
【発明が解決しようとする課題】
【０００８】
上記従来技術のシラス、イカナゴ向けの船曳き網における問題として、漁場に存在するクラゲや海洋ゴミなどの混入による影響を如何に低減するかというものがある。
漁獲対象がシラスやイカナゴのように小さい魚種である場合、それに対応して船曳き網を構成する各部の網目が細かくなってしまう。このように各部の網目の大きさが細かくなると、シラスやイカナゴよりも大きなクラゲや海洋ゴミなどの漁獲対象よりも大きな非漁獲対象物が混入してしまうという問題がある。シラスやイカナゴは一般魚種に比べて比較的浅い海面近くに生息しているため、一般魚種の混入よりもクラゲの混入の影響が大きい。
【０００９】
クラゲや海洋ゴミなどが船曳き網に大量に混入すると、網に入ったシラスやイカナゴ等の漁獲対象を劣化させてしまう上、網が重くなり船曳きの速度が遅くなってしまう。特に近年、クラゲなどが大量発生することが多くなり、如何に非漁獲対象を排除しつつ、漁獲対象を効率的に漁獲するかが問われている。
『クラゲ抜き』とも呼ばれる排出部の仕掛けが用いて、漁獲対象は通過させ、大きな非漁獲対象が通過できないという仕掛けを設けているが、
【００１０】
しかし、このようなクラゲ抜き排出部を設けてもクラゲが排出されるまでは網中に引っ掛かって滞留する状態があるため、大量のクラゲが滞留すると網が重くなり船曳きの速度が遅くなってしまう。つまり、漁獲対象に合わせて網目全体を細かくした上にクラゲが大量滞留すると、船曳き網体の速度が遅くなってしまう。
【００１１】
そこで、発明者宇津修二は長年にわたり魚網の製作を行う中、本発明において『潮抜き部』と呼ぶ、敢えて網目の粗い部分を胴網のやや前方の側面部分に設け、船曳き網の袋網の開口から一度捕捉された海水の一部を側面から抜け出やすくなる箇所を確保し、船曳き速度が遅くならないように工夫してきた。
クラゲが大量発生しやすい時期には、この『潮抜き部』が役立ち、漁船による船曳きの負荷の増大を抑えつつ、船曳き速度を適度な速度に調整するという効果が発揮できる。
【００１２】
しかし、近年、クラゲの大量発生のサイクルが短くなり、漁場の環境変化が数週間という長期間の季節変動ではなく、日々変化するという状況が見られるようになってきた。そのため、クラゲが発生しやすい時期にもかかわらず、ターゲットとする漁場にはクラゲがあまり発生していないという状況があり得る。シラスやイカナゴを漁獲対象とする船曳き網は数百メートルと長く、何本も運搬できないため、漁場の状態に応じて船曳き網を取り替える訳には行かない。もし、クラゲが大量に滞留することを念頭に調整した船曳き網をそのまま使用すると、想定よりも船曳き速度が速くなり、潮抜き部から側面へ逃げる海水が多くなり、シラスやイカナゴなど漁獲対象の一部が潮抜き部から逃げてしまう漁獲漏れが増加してしまうという問題があった。
【００１３】
発明者宇津修二は長年にわたり魚網の製作を行う中、クラゲの大量発生のサイクルが短く、大量発生の予測が難しくなりつつある状況に鑑み、潮抜き部の潮抜き量の調整、および、船曳き速度の調整について改善の余地があることに気付いた。
【００１４】
上記問題点に鑑み、本発明は『潮抜き部』の構造に工夫を行い、日々の漁場の環境に応じて、船曳き網の海中で受ける抵抗の大きさの調整を可能とし、船曳き速度を動的に調整できるとともに、潮抜き部からの漁獲対象の漁獲漏れが少ない良好な船曳き網を提供することを目的とする。
【課題を解決するための手段】
【００１５】
上記目的を達成するため、本発明の船曳き網は、海中又は海底に棲息する漁獲対象動物を漁獲するための船曳き網であって、袖網部分と魚取り袋部分との間に設けられ、網目の大きさが漁獲対象となる前記海洋動物よりも細かい網目である胴網部分において、前記袖網との連結部となる胴部入口部と、前記魚取り袋部分との連結部となる胴部出口部と、前記胴部入口部と前記胴部出口部との間の胴部網体と、前記胴部網体の側面の一部において網目が他の部分の網目よりも粗い網目となり、船曳きの際に生じる抵抗を小さくする潮抜き部と、前記潮抜き部に対して取り付けることにより海中での抵抗を増減せしめる潮抜き量調整体を備え、前記潮抜き量調整体の取り付け有無または取り付け量によって海中での前記抵抗の大きさを調整し、船曳き速度を調整せしめることを特徴とするものである。
【００１６】
潮抜き部の形状としては、前方が幅広で後方に行くほど絞られた形状をなしたものが好ましい。海中を船曳きされるため網体全体が袖網から胴網さらに後端に至るまで径が絞られたものとなっており、潮抜き部も同じく前方が幅広で後方へ向かうほど絞られた形状とするものである。
【００１７】
潮抜き量調整体としては、複数のタイプがあり得る。
第１のタイプは網体のタイプである。潮抜き量調整体が潮抜き部の網目よりも細かい網目を持つ網体であり、潮抜き部の網体に対して潮抜き量調整体の網体を被せて取り付けるものである。つまり潮抜き部の表面にもう一枚網体を被せ、二重構造の網体とすることで抵抗を増やすものである。
潮抜き量調整体の潮抜き部への取り付け方法としては、紐体（ちち紐）で結わえて強固に取り付ける方法がある。
【００１８】
また、ファスナーを用いる取付も可能である。潮抜き部の輪郭に沿ってファスナー具の一方を取り付けて置き、潮抜き量調整体のエッジに沿ってファスナー具の他方を取り付けて置き、両者をファスナー具でしっかりと緊締して取り付け可能とする。
【００１９】
ここで、潮抜き部における潮抜き量調整体を取り付ける領域を限定する工夫もある。つまり、潮抜き部の全面を覆うと潮抜き量が減少し過ぎる場合、潮抜き部の一部のみを潮抜き量調整体により覆うのである。
発明者宇津修二は、潮抜き量調整体を取り付ける潮抜き部の一部領域をどの箇所にすれば効果的であるかを様々研究した結果、中央付近から後方部分にかけて、または後方部分を優先的に選択して取り付けることが効果的であることを見い出した。潮抜きは袖網から胴網へ入った海水量を調整する役割があり、海水の排出量が大きく漁獲対象の魚種も抜けてしまうほど網目が粗いが、潮を抜く位置としては胴網の中でも前方の方が良い。網体全体の形状は胴網の径は前方が幅広で後方に行くほど絞られているので、前方の方が径が大きい分、抜け出る潮は比較的周囲近くの海水であり中央付近の海水は抜けにくい。後方の方が径が小さくなる分、抜け出る潮は比較的中央付近の海水も抜けて行く可能性が高くなる。また、後方で潮を抜き始めるとせっかく胴網深くまで入ってきた漁獲対象魚種が潮抜きの流れに乗って逃げてしまう可能性がある。比較的前方で抜けば径も大きいので対象魚種が抜けにくく、潮抜き部を早めに通過すればその後は胴網から対象魚種が抜け出てしまうことがなくなる。これらを考察した結果、潮抜き部の一部領域として中央付近から後方部分にかけて、または後方部分を優先的に選択して潮抜き量調整体を取り付ければ、対象魚種が潮抜き部から逃げないように抑えつつ、潮抜き量を調整することができる。
【００２０】
第２のタイプは、比較的柔らかい平状またはメッシュ状のシート体のタイプである。潮抜き部の網体表面に潮抜き量調整体であるシート体が収まる潮抜き量調整体ポケットを備えており、潮抜き量調整体ポケットに対してシート体である潮抜き量調整体を装着可能としたものである。つまり、潮抜き部の表面にシート体が取り付けられることにより抵抗を増やすものである。日々の漁場の状況に応じて潮抜き量調整体ポケットに挿入する潮抜き量調整体のメッシュの大きさや平板の面積を変えて取り付ければ簡単に調整できる。
【００２１】
また、潮抜き部の網体表面を複数個のエリアに区分けし、潮抜き量調整体ポケットを当該区分けごとまたは区分けの一部に対して設けることも可能である。潮抜き量調整体を複数個用意しておき、これら複数個の潮抜き量調整体ポケットに対して潮抜き量調整体を選択的に装着する構成でも良い。
【００２２】
なお、網体の機械巻き取りを可能とするため、シート体は十分に柔らかく、例えばロール状に丸めることができる程度の柔らかさ、可撓性が求められる。
この構成によれば、船曳き網を海中に投入するまでは、船上において折り畳むことができる。潮抜き部も長さが長く数メートルから数十メートルに及ぶ場合があり、船上に引き上げている運搬時には折り畳む必要があるが、硬いメッシュ状または平板状のシート体を取り付けたままでは折り畳むことが困難である。上記のように区間に分割された状態であれば区間の境目は容易に折り畳むことができ、全体をコンパクトに収納することができる。
【００２３】
次に、上記構成において、クラゲ等の非漁獲対象物の排出部を設ける工夫を組み合わせることができる。クラゲ等の非漁獲対象物の排出部は、胴部出口部内のやや前方付近に内袋体として形成され、開口は胴部の横断面全体にわたり、排出出口は胴部網体の側面に設けるものである。非漁獲対象物の排出部の網目の大きさは、漁獲対象動物は通過できる大きさであり漁獲対象動物は後方に通過させるものである。そうなれば網目より大きな非漁獲対象物は補足することができ、胴部網体の側面の排出出口から排出することができる。
【００２４】
なお、本発明の船曳き網の漁獲対象は、シラスやイカナゴを含む魚種などが好ましい。また、シラスやイカナゴという漁獲対象魚種とは異なるものの、シャコなど経済性のある海洋生物についてはクラゲなどのように放逐せずに魚取り部の中で大きさ別に選別できれば便利である。そこで、上記構成において、魚取り袋部分内に内袋を設けて二重構造とした魚種選別部を設け、魚種選別部の網目を通過しない魚種は魚種選別部に溜まり、魚種選別部の網目を通過する魚種は魚種選別部の後方の前記魚取り袋部分に溜まる構造とすることもできる。
【発明の効果】
【００２５】
本発明にかかる船曳き網によれば、『潮抜き部』の構造に工夫を行い、日々の漁場の環境に応じて、潮抜き量調整体の取り付けを通じた船曳き網の海中で受ける抵抗の大きさの調整が可能となり、船曳き速度を動的に調整できる。
その結果、潮抜き部からの漁獲対象の漁獲漏れが少ない良好な船曳き網を提供することができる。
【図面の簡単な説明】
【００２６】
【図１】実施例１にかかる本発明のシラス漁向けの船曳き網を示す図（平面図）である。
【図２】実施例１にかかる本発明のシラス漁向けの船曳き網を示す図（右側面図）である。
【図３】潮抜き部１２５から潮が抜けて行く様子を簡単に示した図である。
【図４】クラゲ抜き用排出部１３０の構造を拡大して示した図である。
【図５】潮抜き量調整体１５０を潮抜き部１２５に対して着脱する様子を示す図である。
【図６】潮抜き部１２５と潮抜き量調整体１５０をファスナー具により緊締する方式を簡単に示す図である。
【図７】潮抜き量調整体１５０を潮抜き部１２５の後端付近にのみに選択的に着脱する様子を示す図である。
【図８】潮抜き部１２５の後端付近に対してのみ潮抜き量調整体１５０をファスナー具により緊締する方式を簡単に示す図である。
【図９】実施例２にかかる船曳き網１００ａのうち潮抜き部１２５ａと潮抜き量調整体１５０ａについて取り出して分かりやすく示した図である。
【図１０】実施例３にかかる船曵き網１００ｂのうち潮抜き部１２５ｂと潮抜き量調整体１５０ｂについて分かりやすく示した図である。
【図１１】潮抜き量調整体１５０ｂの挿入パターンの例を示す図である。
【図１２】従来の船曳き網漁法の操船の例を簡単に示している図である。
【発明を実施するための最良の形態】
【００２７】
以下、本発明の船曳き網の実施例を説明する。なお、本発明はこれらの実施例に限定されるものではない。
【実施例１】
【００２８】
以下、本発明に係る船曳き網の構成例を、図面を参照しながら説明する。
特にことわりがない限り、シラス漁やイカナゴ漁向けの魚網として説明する。
図１および図２は、実施例１にかかる本発明の船曳き網を示す図である。
図１は平面図、図２は右側面図である。
【００２９】
図１および図２に示すように、本発明の船曳き網１００は、袖網部分１１０、胴網部分１２０、クラゲ抜き用排出部１３０、魚取り袋部分１４０、潮抜き量調整体１５０を備えた構成となっている。曳網は図示を省略している。
【００３０】
袖網部分１１０は、漁船に引かれる曳網につながる網である。本来は、漁獲対象となるシラスよりも細かい網目とすることは好ましいが、袖網１１０以降全体の網目をすべて細かくするとあまりに抵抗が大きく重くなってしまい操船が不能となる場合もあるため、袖網１１０の網目は大きくして抵抗を小さくすることにより、操船スピードを上げることが好ましい。
【００３１】
胴網部分１２０は、袖網部分１１０と魚取り袋部分１４０との間に設けられた網部分であり、網目の大きさが漁獲対象となるシラスやイカナゴよりも細かい網目である。胴網部分１２０は、胴部入口部１２１、前部１２２、中部１２３、後部１２４、潮抜き部１２５、中吊り１２７、胴部出口部１２９の各部分から構成されている。
【００３２】
胴部入口部１２１は、袖網１１０との連結部となる入口である。
前部１２２、中部１２３は、後部１２４は、胴部１２０を形成する網体であり、その区別は便宜上のものである。
なお、船曳き網１００全体の抵抗を小さく抑えるため、前部１２２の網目の大きさを比較的大きくして抵抗を抑え、中部１２３から後部１２４にかけて細かくすることも可能である。
【００３３】
一例として、前部１２２の網目を１２０〜１４０マス／５０ｃｍ、中部１２３の網目を１６０〜１８０マス／５０ｃｍ、後部１２４の網目を２００マス／５０ｃｍの細かさとする。
【００３４】
潮抜き部１２５は、胴部１２０の側面の一部において網目が他の部分の網目よりも粗い網目となっている部分であり、船曳きの際に、胴網部分１２０に生じる抵抗を小さくするものである。この構成例では中部１２３の側面部分に設けられている。
【００３５】
潮抜き部１２５は、船曳き網の袋網の開口から一度捕捉された海水の一部を側面から抜け出やすくなる箇所を確保し、船曳き速度が遅くならないように工夫する部材である。
図３は、潮抜き部１２５から潮が抜けて行く様子を簡単に示した図である。クラゲが大量発生しやすい時期にはこの潮抜き部１２５が役立つ。
この構成例では、例えば、中部１２３の網目を１６０〜１８０マス／５０ｃｍのところ、潮抜き部１２５の網目を２〜１０マス／５０ｃｍとする。このぐらい粗いマス目であれば潮が良く抜ける。
【００３６】
近年、クラゲの大量発生のサイクルが短くなり、漁場の環境変化が数週間という長期間の季節変動ではなく、日々変化するという状況が見られるようになってきた。そのため、想定よりも海中での抵抗が大きくなれば、船曳き速度が遅くなり、漁獲に影響を与える上、漁船による船曳きの負荷の増大を招く。そこで、本発明では、敢えて、潮が抜けやすい部分を作っておき、状況に応じて、潮抜きの量を調整するために潮抜き量調整体１５０を取り付けて調整すれば良いという技術思想に立っている。
潮抜き部１２５に対する潮抜き量調整体１５０の取り付けや働きについては詳しく後述する。
【００３７】
図１および図２の説明を続ける。
中吊り１２７は、運搬船が適宜、魚取り部１４０に溜まったシラスを回収するために海中に没している魚取り部１４０を運搬船上に引き上げるための構造物であり、運搬船上からフックなどで引っかける治具などが取り付けられている。
【００３８】
胴部出口部１２９は、後述する魚取り袋部分１４０との連結部となる出口である。後述するようにクラゲ抜き用排出部１３０の後方に位置しており、クラゲ抜き用排出部１３０によってシラスやイカナゴなどの漁獲対象と、クラゲ等の非漁獲対象が分離され、シラスやイカナゴなどの漁獲対象がこの胴部出口部１２９を通過して魚取り袋部分１４０に受け入れられてゆく。
【００３９】
クラゲ抜き用排出部１３０は、胴網部分１２０の後段部分で胴部出口部１２９の前に設けられたものであり、胴網部分１２０内に内袋を設けて二重構造とした排出部分である。この構成例では胴網部分１２０の後部１２４の一部に設けられている。
非漁獲対象物の排出部１３０の網目は胴網部分１２０の網目よりも大きく、かつ漁獲対象となるシラスやイカナゴよりも大きな網目となっており、漁獲対象動物は通過させかつ大きな非漁獲対象動物および不要物は補足して胴部１２０の側面から排出する仕掛けである。
【００４０】
非漁獲対象物の排出部１３０は、排出部入口開口１３１、排出部胴部１３２、排出部出口１３３を備えている。
図４はクラゲ抜き用排出部１３０の構造を拡大して詳しく示した図であり、平面図となっている。
【００４１】
排出部入口開口１３１は、非漁獲対象物の排出部１３０の入口部分であり、胴部１２０の内周に沿って設けられており、胴網１２０内部を通過する海水はすべて一旦この排出部入口開口１３１から非漁獲対象物の排出部１３０の中に受け入れられることとなる。
【００４２】
排出部胴部１３２は、排出部入口開口１３１と排出部出口１３３との間に設けられた網体であり、後述するように、この排出部胴部１３２の網目により、シラスやイカナゴ等の漁獲対象動物を通過させ、クラゲなどの非漁獲対象や海洋ゴミなど不要物を捕捉して分離する部分である。後述するように、この分離は排出部胴部１３２の全面にわたって行うことができるものとなっている。
【００４３】
排出部出口１３３は、胴網部分１２０の外へ導くように側面に取り付けられており、漁獲対象となるシラスやイカナゴは排出部胴部１３２の網目を通過して後述する魚取り部１４０に入ってゆくが、クラゲなどの非漁獲対象や海洋ゴミなど不要物はこの排出部出口１３３から胴網部分１２０の外へ導かれて排出される構造となっている。開口の径は例えば、２ｍ位で良い。
【００４４】
この例では、非漁獲対象物の排出部１３０の形状は左右非対称の形となっており、この構成例では非漁獲対象物の排出部１３０の左側が略真っ直ぐに設けられ、非漁獲対象物の排出部１３０の右側が滑らかに大きく曲がった曲面となっており、いわゆる牛の短角のような形状となっている。
【００４５】
このように、クラゲ抜き用排出部１３０は、まず、漁獲対象と非漁獲対象を分離するためにすり鉢状に絞る形状になっている。すり鉢状に絞ることにより、漁獲対象がまっすぐ直進し、網を通り抜けて次段の魚取部に進む一方、非漁獲対象が中央に集められることにより、漁獲対象と非漁獲対象を分離するものである。クラゲ抜き用排出部１３０の形状は、すり鉢状に絞られたあと、排出部胴部１３２の側面に向けて導かれ、排出部胴部１３２の側面には排出部出口１３３が設けられて開放されている。非漁獲対象動物や不要物はこの開放された出口１３３から排出部胴部１３２の側面外に排出されるようになっている。船曳き網は操船を始めると操業時間中は連続してひき続けるため、このようにクラゲ抜き用排出部１３０の開放出口を排出部胴部１３２の側面に設けておけば、操船に船曳き網が前進するに伴って非漁獲対象や不要物がクラゲ用排出部１３０の中を通り、胴部１３２の側面に設けられた排出部出口１３３から次々と放出される仕掛けとなっている。
【００４６】
再び図１、図２に戻って説明を続ける。
魚取り部１４０は、船曳き網１００により捕獲した海洋動物を捉えて蓄積する部分である。この構成例では、シャコ取り１４１、魚取り１４２、魚巻き１４３を備えた構成となっている。魚取り部１４０全体はチャックなどで分離できる構造となっており、運搬船が中吊り１２７をフックなどで引っかけて引き上げ、魚取り１４０のチャックを外して魚取り部１４０のみを引き揚げて回収することができる仕組みとなっている。
【００４７】
シャコ取り１４１は、魚取り部１４０の袋部分内に内袋を設けて二重構造とした魚種選別部であり、この網目を通過しない魚種はここに溜まり、この網目を通過する魚種は魚取りの袋部分に溜まる構造としたものである。この構成例では網目の大きさをシラスは通過するがシャコは通過しない大きさとすれば良い。なお、シャコよりも大きなクラゲや海洋不要物などの浮遊物はクラゲ抜きを通過できず、クラゲ抜き出口１２８より排出されており、シャコ抜き１４１には概ねシャコやシラスよりも少し大きな小魚などが溜まることとなる。
【００４８】
魚取り１４２は、シャコ取り１４１の後段にあり、シャコ取り１４１を通過した魚種が最終的に溜まる部分であり、この構成例では捕獲対象魚種であるシラスが溜まることとなる。
【００４９】
魚巻き１４３は魚取り１４２の最後段を締めている部分である。魚巻き１４３が開閉可能な構造であれば、運搬船上で魚巻き１４３を開放してシラスを取り出すことができる。
【００５０】
次に、潮抜き量調整体１５０を説明する。
潮抜き量調整体１５０は、潮抜き部１２５に対して取り付けたり取り外したりすることによって海中での抵抗を増減せしめるものである。
本実施例１の潮抜き量調整体１５０の構成例は、網体タイプのものである。
【００５１】
この構成例では、網目の大きさは、中部１２３の網目が１６０〜１８０マス／５０ｃｍのところ、潮抜き部１２５の網目を２〜１０マス／５０ｃｍとしている。この潮抜き部１２５の表面を覆うように網目タイプの潮抜き量調整体１５０を選択して取り付ける。
【００５２】
図５は、潮抜き量調整体１５０を潮抜き部１２５に対して着脱する様子を示す図である。図５の上図は潮抜き量調整体１５０を潮抜き部１２５に対して着脱する様子を示すもの、図５の下図は潮抜き量調整体１５０を潮抜き部１２５を取り付けた状態を示している。
図５に示すように、網目の細かさが異なる潮抜き量調整体１５０を選択することにより、潮抜き部１２５から抜け出る潮抜き量を調整することができる。
【００５３】
網目タイプの潮抜き量調整体１５０としては、調整を多段階にできるよう、２０〜１６０マス／５０ｃｍの範囲で多様なマス目のものを用意しておけば良い。このように、粗い網目の潮抜き部１２５の上に細かい網目の潮抜き量調整体１５０を選択して重ね合わせて二重構造の網体とすることにより、潮抜き量が変化し、海中での抵抗を調整することができる。
【００５４】
もし、潮抜き部１２５そのものを取り替えるのであれば、その作業は網のパーツを切り離した後に再び網を縫製するという作業となって手間とコストがかかる。その日の状況に応じて動的に変更したり、ましてや船上で取り替えたりするなどは不可能である。
【００５５】
一方、本発明のように、潮抜き量調整体１５０を上から被せる方法であれば、比較的簡易に取り付けることができ、その日の状況に応じて動的に変更することは可能である。
なお、潮抜き量調整体１５０は、潮抜き部１２５の上に簡単に取り付けられるものが好ましいところ、海中で一定の抵抗を受けるために、強固に取り付ける必要がある。
【００５６】
そこで、例えば、潮抜き部１２５の輪郭に沿って、ファスナー具１５１の一方を取り付けて置き、潮抜き量調整体１５０のエッジにもファスナー具１５１の他方を取り付けて置き、両者をファスナー具１５１でしっかりと緊締する方式がある。
図６は、潮抜き部１２５と潮抜き量調整体１５０をファスナー具により緊締する方式を簡単に示す図である。
【００５７】
図６（ａ）は、潮抜き部１２５から潮抜き量調整体１５０が取り外されている状態を示している。図６（ｂ）は、選択した潮抜き量調整体１５０を潮抜き部１２５に対してあてがった状態を示している。この図６の状態からファスナー１５１を締めてしっかりと装着した状態を示している。
【００５８】
この方式であれば、取り付けの手間も極めて簡単でかつ容易には脱落しない。
網目の細かさの異なる潮抜き量調整体１５０のすべてにもファスナー具１５１を取り付けておけば、日々の漁場の状況に応じて潮抜き量調整体１５０を選択して潮抜き部１２５の輪郭に沿ってファスナーで取り付ければ良い。
このように、潮抜き量調整体１５０の取り付け有無または取り付け量によって海中での抵抗の大きさを調整し、船曳き速度を調整せしめることができる。
【００５９】
次に、潮抜き部１２５における潮抜き量調整体１５０を取り付ける領域を一部とする工夫について述べる。図５および図６に示すように、潮抜き量調整体１５０は潮抜き部１２５の全面を覆うように取り付けることができるが、潮抜き量が多すぎる場合があり得る。その場合、潮抜き量調整体１５０の網目を少し粗いものとして取り付ければ良いが、やはり取り付け範囲が全体であれば、取り付け作業に手間がかかる。そこで、潮抜き部１２５の一部領域のみに対して潮抜き量調整体１５０を取り付けることにより取り付け範囲を狭くするとともに、必要な潮抜き量に制限するという工夫を行った。
【００６０】
ここで、潮抜き部１２５の一部領域の選択は、中央付近から後方部分にかけて、または、後方部分のみを優先的に選択して取り付ける。
図７（ａ）は、潮抜き量調整体１５０を取り付ける潮抜き部１２５の一部領域として後方部分を選択して潮抜き量調整体１５０を取り付ける様子を示す図である。潮抜き量調整体１５０が後方の一部分のみの形状に仕上げられている。
図７（ｂ）は後方部分にのみ潮抜き量調整体１５０を取り付けた様子を示す図である。図７（ｂ）に示すように、潮抜き部１２５の後方部分は網目の細かい潮抜き量調整体１５０が取り付けられ、それ以外の潮抜き部１２５の前方から中央付近は網目の粗いもとの潮抜き部１２５が見えている。潮抜き量調整体１５０の取り付け範囲が狭く抑えられている分、取り付け作業が簡単となる。
【００６１】
図８は、潮抜き量調整体１５０を取り付ける潮抜き部１２５の一部領域に対してファスナーにより取り付ける構成例を示す図である。
図８（ａ）に示すように、潮抜き量調整体１５０が後方の一部分のみの形状に仕上げられており、その輪郭に沿ってファスナー金具が取り付けられている。潮抜き部１２５にはその輪郭に沿ってファスナーで取り付けられている。
図８（ｂ）に示すように、潮抜き量調整体１５０を潮抜き部１２５の一部にあてがってファスナー金具によって閉じて行けば、図８（ｃ）に示すように、両者がファスナー金具で緊締できるものとなっている。
【００６２】
潮抜きする量は取り付ける潮抜き量調整体１５０の面積に依存するが、取り付ける位置が後方とすることにより潮抜きが前方を中心に行われる。前方の方が径は大きいので、抜け出る潮は比較的周囲近くの海水であり中央付近の海水は抜けにくい。もし、潮抜き量調整体１５０を前方に取り付け、後方を中心に潮を抜くと、径が狭い分、抜け出る潮は比較的中央付近の海水も抜けて行く上、せっかく胴網深くまで入ってきた漁獲対象魚種が潮抜きの流れに乗って逃げてしまう可能性がある。図７、図８に示した構成であればそのような問題が少なくなる。
【００６３】
以上、本実施例１にかかる船曳き網１００によれば、簡単な構造により潮抜き量を簡単に調整することにより、船曵き速度を簡単に調整でき、クラゲ等の非漁獲対象は効率的に排除するとともに、シラスやイカナゴ等の漁獲対象の漁獲漏れを防止せしめることができる。
【実施例２】
【００６４】
実施例２は、実施例１と同様の船曳き魚網であるが、潮抜き量調整体１５０のタイプが異なるものとなっている。
実施例１の潮抜き量調整体のタイプは生地の網目の大きさが異なる網体を取り付けるタイプであった。
本実施例２の潮抜き量調整体のタイプは、平状またはメッシュ状のシート体であり、潮抜き部１２５に対して取り付けるタイプである。なお、シート体は、ロール状に変形可能な素材とし、シート体を潮抜き量調整体ポケット内に装着した状態で船曳き網の機械巻き取りを可能とする。
【００６５】
実施例２にかかる船曳き魚網１００ａの構成は、実施例１と同様、袖網部分１１０、胴網部分１２０、クラゲ抜き用排出部１３０、魚取り袋部分１４０、潮抜き量調整体１５０ａを備えた構成となっているが、胴網部分１２０のうち、潮抜き部１２５ａが異なっており、また、潮抜き量調整体１５０ａがことなっている。
【００６６】
図９は、実施例２にかかる船曳き網１００ａのうち潮抜き部１２５ａと潮抜き量調整体１５０ａについて取り出して分かりやすく示した図である。図９（ａ）は、板状の潮抜き量調整体１５０ａを挿入する前の状態を示し、図９（ｂ）は板状の潮抜き量調整体１５０ａを挿入した状態を示している。
【００６７】
図９（ａ）に示すように、潮抜き部１２５ａの網体表面には、潮抜き量調整体ポケット１２６ａが設けられている。潮抜き量調整体ポケット１２６ａは、船曵き網１００ａの進行方向に開口が設けられた網体で出来たポケットであり網状の袋となっている。潮抜き量調整体ポケット１２６ａに対して板状の潮抜き量調整体１５０ａを装着する構成となっている。
潮抜き量調整体ポケット１２６ａの網目の大きさは限定されないが、潮抜き部１２５ａの網目と同じ大きさでも良い。
ここに潮抜き量調整体１５０ａを挿入する。
【００６８】
潮抜き量調整体１５０ａは、図９（ａ）に示すように、ロール状に丸めるぐらいに柔軟な素材で製作したものとする。例えば、スポンジ、発泡ウレタン、ジェル封入体、シリコーンゴムなどある程度の丈夫さがあり、柔軟性に優れたものであれば、網体を巻き取り機械で巻き取る際にも潮抜き量調整体１５０ａが操作を阻害することがない。
【００６９】
図９（ｂ）に示すように、潮抜き量調整体ポケット１２６ａの中に板状の潮抜き量調整体１５０ａを装着すると、本来は粗い潮抜き部１２５ａの網目の一部が潮抜き量調整体１５０ａにより塞がれる形になるので、潮抜き部１２５ａから抜け出る潮抜き量が変化する。
【００７０】
潮抜き量調整体１５０ａがメッシュ状であれば、潮抜き部１２５ａの網目がこの潮抜き量調整体１５０ａのメッシュの網目に変換されることとなる。この潮抜き量調整体ポケット１２６ａの中にシート状の潮抜き量調整体１５０ａを装着することは極めて簡単であり、かつ、一度挿入したものは、船曵き漁の間は簡単には脱落することがない。
【００７１】
潮抜き量調整体１５０ａにメッシュがない場合、潮抜き部１２５ａの網目がこの潮抜き量調整体１５０ａにより封鎖されることとなる。なお、封鎖面積が広すぎると、海中での船曵き網１００ａの抵抗が大きくなり過ぎて船曵きが出来なくなるおそれがあるので、潮抜き量調整体１５０ａを取り付ける際にはその面積をある程度小さなものに調整する必要がある。
【００７２】
ここで、潮抜き量調整体１５０ａとして、様々なメッシュの細かさのものや、様々な大きさのものを用意しておき、日々の漁場の状況に応じて動的に潮抜き量調整体１５０ａを選択し、潮抜き量調整体ポケット１２６ａの中に挿入すれば、簡単に潮抜き部１２５ａから抜け出る潮抜き量を調整することができる。この取り替えは容易で船上でも可能である。
【実施例３】
【００７３】
次に、実施例３として、実施例２で示した潮抜き量調整体ポケットを区分けし、潮抜き量調整体も区分けした大きさにする工夫について述べる。
図１０は、実施例３にかかる船曵き網１００ｂのうち潮抜き部１２５ｂと潮抜き量調整体１５０ｂについて分かりやすく示した図である。図１０（ａ）は、板状の潮抜き量調整体１５０ｂを挿入する前の状態を示し、図１０（ｂ）は板状の潮抜き量調整体１５０ｂを挿入した状態を示している。
【００７４】
図１０（ａ）に示すように、潮抜き部１２５ｂの表面には、複数個の小さな潮抜き量調整体ポケット１２６ｂが設けられている。この潮抜き量調整体ポケット１２６ｂのサイズ、形、位置などは、限定されないが、この例では、略台形のものが４つ設けられている。
【００７５】
図１０（ｂ）に示すように、この潮抜き量調整体ポケット１２６ｂに対して、合致する形に仕上げられた板状の潮抜き量調整体１５０ｂを挿入する。
潮抜き量調整体１５０ｂがメッシュ状であれば、潮抜き部１２５ｂのうちの潮抜き量調整体ポケット１２６ｂの部分の網目がこの潮抜き量調整体１５０ｂのメッシュの網目に変換されることとなる。
潮抜き量調整体１５０ｂが平板状であれば、潮抜き部１２５ｂのうちの潮抜き量調整体ポケット１２６ｂの部分の網目がこの潮抜き量調整体１５０ｂの板により封鎖されることとなる。
【００７６】
ここで、潮抜き量調整体１５０ｂとして、様々なメッシュの細かさのものや、様々な大きさの平板のものを用意しておき、日々の漁場の状況に応じて動的に潮抜き量調整体１５０ｂを選択するとともに、潮抜き量調整体ポケット１２６ｂを選択してその中に挿入すれば、簡単に潮抜き部１２５ｂから抜け出る潮抜き量をさらに細かく調整することができる。
【００７７】
なお、このように潮抜き量調整体ポケット１２６ｂが複数個あれば、そのうちどの潮抜き量調整体ポケット１２６ｂに対してどのメッシュの細かさの潮抜き量調整体１５０ｂを挿入するかという選択肢が多数生まれる。
【００７８】
図１１（ａ）は、潮抜き量調整体１５０ｂの挿入パターン例、図１１（ｂ）は潮抜き量調整体１５０ｂの他の挿入パターンを示す図である。
図１１（ａ）の例では、複数ある潮抜き量調整体ポケット１２６ｂのうち、一番後方の潮抜き量調整体ポケット１２６ｂを選択し、その中にのみ潮抜き量調整体１５０を取り付けた例である。
図１１（ｂ）の例では、複数ある潮抜き量調整体ポケット１２６ｂのうち、一番後方の潮抜き量調整体ポケット１２６ｂと、その一つ前方の潮抜き量調整体ポケット１２６ｂを選択し、それらの中に潮抜き量調整体１５０を取り付けた例である。
いずれも、後方を中心に潮抜き量調整体１５０を取り付けるパターンとなっている。
【００７９】
ポケットであれば簡単に潮抜き量調整体１５０を潮抜き部１２５に取り付けることができ、かつ、複数の潮抜き量調整体ポケット１２６ｂを選択して簡単に取り付けることができるので、潮抜き量の調整をより細かく行うことができる。
メッシュの細かさ、潮抜き量調整体ポケット１２６ｂの位置の選択を考慮すれば、多数のパターンがあり得る。この調整は船上でも可能である。
【００８０】
以上、本発明の船曳き網の構成例における好ましい実施形態を図示して説明してきたが、本発明の技術的範囲を逸脱することなく種々の変更が可能であることは理解されるであろう。
【産業上の利用可能性】
【００８１】
本発明の船曳き網は、シラス漁、イカナゴ漁の船曳き網などに広く適用することができる。
【符号の説明】
【００８２】
１００  船曳き網
１１０  袖網部
１２０  胴網部分
１２１  胴部入口部
１２２  前部
１２３  中部
１２４  後部
１２５  潮抜き部
１２６  潮抜き量調整体ポケット
１２７  中吊り
１２９  胴部出口部
１３０  クラゲ抜き用排出部
１３１  排出部入口開口
１３２  排出部胴部
１３３  排出部出口
１３４  開閉構造
１３５  開閉部
１３６  第２の開閉構造
１４０  魚取り部
１４１  シャコ取り
１４２  魚取り
１４３  魚巻き
１５０  潮抜き量調整体
【図１】
0006547954.tif 000002
【図２】
0006547954.tif 000003
【図３】
0006547954.tif 000004
【図４】
0006547954.tif 000005
【図５】
0006547954.tif 000006
【図６】
0006547954.tif 000007
【図７】
0006547954.tif 000008
【図８】
0006547954.tif 000009
【図９】
0006547954.tif 000010
【図１０】
0006547954.tif 000011
【図１１】
0006547954.tif 000012
【図１２】
0006547954.tif 000013